(57)【特許請求の範囲】
【請求項１】
電力の供給を行う燃料電池システムと、加速時には蓄電力を外部負荷に供給するバッテリと、前記バッテリの充電状況を監視するバッテリ充電状況監視手段とを備えた燃料電池システムを制御する制御装置において、
運転者のアクセル踏み込み量を検出するアクセル踏み込み量検出手段と、
前記アクセル踏み込み量検出手段により検出されたアクセル踏み込み量に応じて前記燃料電池システムに対する出力要求値を算出する出力要求値算出手段と、
前記アクセル踏み込み量検出手段により検出されたアクセル踏み込み量から単位時間あたりのアクセル踏み込み量を演算する加速度演算手段と、
前記加速度演算手段により求められた単位時間あたりのアクセル踏み込み量と、前記バッテリ充電状況監視手段により求められたバッテリの充電状況とに基づいて、前記出力要求値算出手段により算出された出力要求値に出力要求補正値を付加する制御手段と、
燃焼により燃料電池へ供給する水素の生成に必要な熱エネルギーを発生させる燃焼装置と、
前記燃焼装置に燃料を供給する燃料供給手段と、
前記燃料電池から排出された余剰水素を前記燃焼装置で燃焼させて前記燃焼装置の温度を上昇させる温度上昇手段とを有し、
前記制御手段は、前記出力要求補正値に応じて、前記燃焼装置への燃料供給量とそれに応じた空気量とを増加させるとともに、前記アクセル開度が所定値以上、かつバッテリ充電量が所定値以上の場合は、所定の時間だけコンプレッサの運転を停止する燃料電池システムの制御装置。
【請求項２】
電力の供給を行う燃料電池システムと、加速時には蓄電力を外部負荷に供給するバッテリと、前記バッテリの充電状況を監視するバッテリ充電状況監視手段とを備えた燃料電池システムを制御する制御装置において、
運転者のアクセル踏み込み量を検出するアクセル踏み込み量検出手段と、
前記アクセル踏み込み量検出手段により検出されたアクセル踏み込み量に応じて前記燃料電池システムに対する出力要求値を算出する出力要求値算出手段と、
前記アクセル踏み込み量検出手段により検出されたアクセル踏み込み量から単位時間あたりのアクセル踏み込み量を演算する加速度演算手段と、
前記加速度演算手段により求められた単位時間あたりのアクセル踏み込み量と、前記バッテリ充電状況監視手段により求められたバッテリの充電状況とに基づいて、前記出力要求値算出手段により算出された出力要求値に出力要求補正値を付加する制御手段と、
燃焼により燃料電池へ供給する水素の生成に必要な熱エネルギーを発生させる燃焼装置と、
前記燃焼装置に燃料を供給する燃料供給手段と、
前記燃料電池から排出された余剰水素を前記燃焼装置で燃焼させて前記燃焼装置の温度を上昇させる温度上昇手段と、
前記燃焼装置の温度を検出する温度検出手段とを有し、
前記制御手段は、前記温度検出手段により検出された燃焼装置の温度の変化量に応じて、前記燃焼装置への燃料供給量とそれに応じた空気量とを増加させるとともに、前記アクセル開度が所定値以上、かつバッテリ充電量が所定値以上の場合は、所定の時間だけコンプレッサの運転を停止する燃料電池システムの制御装置。
【請求項３】
前記燃焼装置への燃料供給量とそれに応じた空気量との増量制御は、所定の遅れ時間後に行う請求項１または２記載の燃料電池システムの制御装置。
【発明の詳細な説明】
【０００１】
【発明の属する技術分野】
本発明は、燃料電池システムの制御装置に関し、特に加速時の出力要求値をバッテリの充電量に応じて制御できる燃料電池システムの制御装置に関する。
【０００２】
【従来の技術】
原料を改質して発生する水素を供給する燃料電池システムは、過渡状態での起電力の応答性が悪いので、電力要求量の変化に対応するため、大容量のバッテリが必要とされる。
【０００３】
この種の燃料電池の起動力制御においては、バッテリの充電量を監視し、バッテリの電力に応じて改質する原料を増加減するのが一般的である。すなわち、バッテリの充電量が少ないときは燃料電池の発電によりバッテリを充電するといった制御方法が採られていた。したがって、加速による急激な電力要求に応じるには、大型で高価なバッテリを車載することが必要であった。
【０００４】
これに対して、小容量のバッテリで急激な電力要求の変化に対応できるようにするために、運転者の加速意思をアクセル開度信号から速やかに察知し、加速と判断した場合は出力要求値を増加させ、急加速と判断した場合は出力要求値をより大きく増量する制御も提案されている。
【０００５】
【発明が解決しようとする課題】
ところが、従来の燃料電池システムでは、アクセルの踏み込み変化量、すなわち加速度の緩急だけに支配されて出力要求値の増量補正を行っているので、バッテリの充電量が十分でない状態から加速すると、電力が不足し、これにより加速不良が発生するという問題があった。
【０００６】
また、電力不足による加速不良を補うために、バッテリの充電量を無視して出力要求値を増加させる制御も行われているが、こうすると燃料電池に供給される水素量が必要以上に増加するものの、燃料電池での水素消費量は少なく余剰水素量が増える結果になり、余剰水素を燃焼させる燃焼装置の温度が異常に上昇して当該燃焼装置が溶損するという問題があった。
【０００７】
本発明は、このような従来技術の問題点に鑑みてなされたものであり、加速時の出力要求値をバッテリの充電量に応じて制御できる燃料電池システムの制御装置を提供することを目的とする。
【０００８】
【課題を解決するための手段】
（１）上記目的を達成するために、請求項１記載の燃料電池システムの制御装置は、電力の供給を行う燃料電池システムと、加速時には蓄電力を外部負荷に供給するバッテリと、前記バッテリの充電状況を監視するバッテリ充電状況監視手段とを備えた燃料電池システムを制御する制御装置において、運転者のアクセル踏み込み量を検出するアクセル踏み込み量検出手段と、前記アクセル踏み込み量検出手段により検出されたアクセル踏み込み量に応じて前記燃料電池システムに対する出力要求値を算出する出力要求値算出手段と、前記アクセル踏み込み量検出手段により検出されたアクセル踏み込み量から単位時間あたりのアクセル踏み込み量を演算する加速度演算手段と、前記加速度演算手段により求められた単位時間あたりのアクセル踏み込み量と、前記バッテリ充電状況監視手段により求められたバッテリの充電状況とに基づいて、前記出力要求値算出手段により算出された出力要求値に出力要求補正値を付加する制御手段と、燃焼により燃料電池へ供給する水素の生成に必要な熱エネルギーを発生させる燃焼装置と、前記燃焼装置に燃料を供給する燃料供給手段と、前記燃料電池から排出された余剰水素を前記燃焼装置で燃焼させて前記燃焼装置の温度を上昇させる温度上昇手段とを有し、前記制御手段は、前記出力要求補正値に応じて、前記燃焼装置への燃料供給量とそれに応じた空気量とを増加させるとともに、前記アクセル開度が所定値以上、かつバッテリ充電量が所定値以上の場合は、所定の時間だけコンプレッサの運転を停止する。
【０００９】
この発明によれば、加速時の出力要求値をバッテリの充電量に応じて変化させることができるので、バッテリの充電量が少ない場合は、緩加速においても出力値を多く要求でき、加速に必要な電力を供給することができる。
【００１０】
一方、バッテリの充電量が多い場合は、出力要求値をむやみに増加させず、余剰水素を燃焼させている燃焼装置の異常な温度上昇を防ぐことができる。
【００１１】
また、加速に必要な電力を発生するために燃料電池は大量に水素を消費する。水素の消費により燃料電池からの余剰水素を燃焼させている燃焼装置の温度が低下するので、加速時は出力要求値の増量だけでなく、燃焼装置への燃料と空気を増量することで、燃焼装置の温度低下を防止することができる。これにより、水素の発生に必要な熱エネルギーを継続的に供給することができるので、水素の発生が促進でき、継続的で安定した電力発生ができる。
さらに、充電量が十分な状態で急加速を要求された場合、コンプレッサの運転を停止し、一時的に燃料電池の積極的な電力発生を抑え、充電された電力を優先的に駆動装置に供給するので、加速性能を向上させることができる。
【００１２】
（２）上記目的を達成するために、請求項２記載の燃料電池システムの制御装置では、電力の供給を行う燃料電池システムと、加速時には蓄電力を外部負荷に供給するバッテリと、前記バッテリの充電状況を監視するバッテリ充電状況監視手段とを備えた燃料電池システムを制御する制御装置において、運転者のアクセル踏み込み量を検出するアクセル踏み込み量検出手段と、前記アクセル踏み込み量検出手段により検出されたアクセル踏み込み量に応じて前記燃料電池システムに対する出力要求値を算出する出力要求値算出手段と、前記アクセル踏み込み量検出手段により検出されたアクセル踏み込み量から単位時間あたりのアクセル踏み込み量を演算する加速度演算手段と、前記加速度演算手段により求められた単位時間あたりのアクセル踏み込み量と、前記バッテリ充電状況監視手段により求められたバッテリの充電状況とに基づいて、前記出力要求値算出手段により算出された出力要求値に出力要求補正値を付加する制御手段と、燃焼により燃料電池へ供給する水素の生成に必要な熱エネルギーを発生させる燃焼装置と、前記燃焼装置に燃料を供給する燃料供給手段と、前記燃料電池から排出された余剰水素を前記燃焼装置で燃焼させて前記燃焼装置の温度を上昇させる温度上昇手段と、前記燃焼装置の温度を検出する温度検出手段とを有し、前記制御手段は、前記温度検出手段により検出された燃焼装置の温度の変化量に応じて、前記燃焼装置への燃料供給量とそれに応じた空気量とを増加させるとともに、前記アクセル開度が所定値以上、かつバッテリ充電量が所定値以上の場合は、所定の時間だけコンプレッサの運転を停止する。
【００１３】
この請求項２記載の発明によれば、加速時の出力要求値をバッテリの充電量に応じて変化させることができるので、バッテリの充電量が少ない場合は、緩加速においても出力値を多く要求でき、加速に必要な電力を供給することができる。一方、バッテリの充電量が多い場合は、出力要求値をむやみに増加させず、余剰水素を燃焼させている燃焼装置の異常な温度上昇を防ぐことができる。
【００１４】
さらに、燃焼装置の温度低下の度合いとバッテリ充電状況とによって燃料供給量を決定するので、過増量による燃焼装置の異常な温度上昇や、増量不足により温度上昇しないような事態がなくなり、燃料供給量を適切に制御することができる。
また、充電量が十分な状態で急加速を要求された場合、コンプレッサの運転を停止し、一時的に燃料電池の積極的な電力発生を抑え、充電された電力を優先的に駆動装置に供給するので、加速性能を向上させることができる。
【００１５】
（３）上記発明においては特に限定されないが、請求項３記載の燃料電池システムの制御装置では、前記燃焼装置への燃料供給量とそれに応じた空気量との増量制御は、所定の遅れ時間後に行う。
【００１６】
この請求項３記載の発明によれば、出力要求値の増加と燃焼装置の温度低下のタイミングに差異があり、温度低下が遅れを持って発生する場合、燃料供給タイミングは出力要求値の増加に対し、遅れ時間を持たせて供給することができるので、増量タイミングが異なることによる燃焼装置の異常な温度上昇や、温度上昇しないような事態がなく、燃料供給量を制御することができる。
【００１９】
【発明の効果】
請求項１記載の発明によれば、バッテリの充電量が少ない場合は、緩加速においても出力値を多く要求でき、加速に必要な電力を供給することができる。一方、バッテリの充電量が多い場合は、出力要求値をむやみに増加させず、余剰水素を燃焼させている燃焼装置の異常な温度上昇を防ぐことができる。
【００２０】
これに加えて、請求項１記載の発明によれば、水素の発生に必要な熱エネルギーを継続的に供給することができるので、水素の発生が促進でき、継続的で安定した電力発生ができる。
【００２１】
また請求項２記載の発明によれば、バッテリの充電量が少ない場合は、緩加速においても出力値を多く要求でき、加速に必要な電力を供給することができる。一方、バッテリの充電量が多い場合は、出力要求値をむやみに増加させず、余剰水素を燃焼させている燃焼装置の異常な温度上昇を防ぐことができる。これに加えて、燃焼装置の温度低下の度合いとバッテリ充電状況とによって燃料供給量を決定するので、過増量による燃焼装置の異常な温度上昇や、増量不足により温度上昇しないような事態がなくなり、燃料供給量を適切に制御することができる。
【００２２】
さらに請求項３記載の発明によれば、燃料供給タイミングは出力要求値の増加に対して遅れ時間を持たせて供給するので、増量タイミングが異なることによる燃焼装置の異常な温度上昇や、温度上昇しないような事態がなく、燃料供給量を制御することができる。
【００２３】
また、請求項１〜３記載の発明によれば、充電量が十分な状態で急加速を要求された場合には、コンプレッサの運転を停止して一時的に燃料電池の積極的な電力発生を抑え、充電された電力を優先的に駆動装置に供給するので、加速性能を向上させることができる。
【００２４】
【発明の実施の形態】
以下、本発明の実施形態を図面に基づいて説明する。
図１は燃料電池システムの全体構成を示すブロック図であり、コンピューターにより構成される制御装置１と、原料を燃焼させる燃焼装置２と、原料を改質反応させることにより水素を生成する水素発生装置（改質器）３と、燃焼装置２，水素発生装置３および燃料電池７へ空気を供給するコンプレッサ４と、燃焼装置２に燃料を供給する燃料供給装置５と、水素発生装置３に原料であるメタノールおよび水を供給する原料供給装置６と、電気化学反応により起電力を得る燃料電池７と、電力を貯蔵するバッテリ８と、バッテリ８の充電状況を監視する充電状況監視装置９と、電力の配分をコントロールする電力配分制御装置１０と、電力を駆動力に変換する動力装置（外部負荷）１１と、運転者のアクセル踏み込み量を検出するアクセル踏み込み量検出装置１２と、燃焼装置２の温度を検出する温度検出装置１３と、を主な構成要素とする。
【００２５】
水素発生装置３は、原料供給装置６から供給される水およびメタノールとコンプレッサ４から供給される空気（酸素）とを改質反応させて水素リッチガスを生成するもので、得られた水素含有ガスは燃料電池７の燃料極（アノード）に供給される。
【００２６】
燃料電池７では、その空気極（カソード）にコンプレッサ４からの空気が供給される一方で、上述した水素発生装置３から水素含有ガスが供給され、これら水素と酸素とが反応することにより電力が取り出される。
【００２７】
この燃料電池７の燃料極および空気極のそれぞれで余剰となった水素含有ガスと空気は燃焼装置２に導かれ、ここで燃焼されて系外へ排出されるが、このとき生じた燃焼熱は水素発生装置３の改質反応に供される。
【００２８】
次に動作を説明する。
定常動作
まず燃料電池７が必要とされる起電力を発生することができるだけの原料を原料供給装置６から水素発生装置３に供給する。このため、制御装置１から原料供給装置６へ適量の原料を水素発生装置３へ供給する旨の信号を送出する。
【００２９】
原料供給装置６から水素発生装置３へ供給された原料は、当該水素発生装置３の化学反応により水素ガスになる。この水素発生装置３によって生成された水素ガスは、燃料電池７の燃料極に供給され、当該燃料電池７では、この水素ガスと、コンプレッサ４から供給された酸素との化学反応により、電力を発生する。
【００３０】
燃料電池７にて発生した電力は、定常走行に必要な電力分だけ動力装置１１に直接的に供給される。
【００３１】
なお、燃料電池７に供給された水素ガスと空気は、電力発生に必要な分だけ燃料電池７で消費される一方で、残りの水素ガスと空気は燃料電池７から余剰水素および余剰空気として排出される。この排出された余剰水素ガスと余剰空気は、燃焼装置２に供給されて燃焼するが、そのときの熱エネルギーは、水素発生装置３における水素生成のために利用される。
【００３２】
過渡状態の動作
これに対して、過渡状態においては以下のように動作する。すなわち、図２に示すように、停止中もしくは定常走行中から、運転者が発進又は加速のためにアクセルを踏み込むと、アクセル踏み込み量検出装置１２が運転者の加速意思を検出し、アクセル踏み込み量信号Ａccとして制御装置１に送出する。
【００３３】
バッテリ充電状況監視装置９は、バッテリ８の充電状態を常時監視し、このバッテリ充電状態に関する信号を電力配分制御装置１０と制御装置１とに送出する。
【００３４】
図３の制御ブロック図に示すように、電力配分制御装置１０は、燃料電池７の起電力、バッテリ８の充電状態およびコンプレッサ４等の補機の必要電力を常時監視し、要求された電力を動力装置１１に供給する。
【００３５】
一方、制御装置１は、下記演算式を用いてアクセル踏み込み量信号Accから単位時間あたりのアクセル踏み込み変化量△Accを計算する。
【００３６】
【数１】
アクセル踏み込み変化量△Acc
＝アクセル踏み込み量信号Accnew−アクセル踏み込み量信号Accold…（１）
ここでAccnewは最新のアクセル踏み込み量、Accoldは100ms前のアクセル踏み込み量である。
【００３７】
上記（１）式から算出されたアクセル踏み込み変化量△Accと、バッテリ充電状態から、図４に示す制御マップを参照し、出力要求の補正量を決定する。ここで求められる出力要求の補正量はバッテリ８の充電量とアクセル踏み込み量、すなわち加速状態とを考慮した値となる。
【００３８】
つまり、図４において、アクセル踏み込み変化量がΔＡccpのとき、バッテリ充電量が０〜Ｑ１％のときの出力要求値は基本の増加分に急加速時の増加分を付加した値となり（図８参照）、またバッテリ充電量がＱ１〜Ｑ２％のときの出力要求値は基本の増加分に緩加速時の増加分を付加した値となり（図７参照）、さらにバッテリ充電量がＱ２〜１００％のときの出力要求値は基本の増加分のみとなる（図６参照）。このように、本実施形態ではバッテリ充電量が十分であるときは加速要求が大きくてもバッテリ８から十分な電力を供給できるので出力要求値はさほど大きくしない。これに対して、バッテリ充電量が少ないときは加速要求が小さくてもバッテリ８から十分な電力を供給できないので出力要求値を大きくする。
【００３９】
さらに、本実施形態では、図４のグラフにＳ１，Ｓ２にて示すように、通常加速状態と緩加速状態および緩加速状態と急加速状態との境界線（すなわち、本発明の第１のしきい値Ｓ１と第２のしきい値Ｓ２）をバッテリ８の充電量に応じて直線的かつ傾斜的に変化させている。これにより、これら常加速状態と緩加速状態、および緩加速状態と急加速状態のそれぞれの境界部において、出力要求値の補正量がアナログ的に変化することとなり、車両の加速状態がスムーズになる。
【００４０】
なお、加速時の出力要求値は、図５のアクセル踏み込み量Accに応じた出力要求値に、アクセル踏み込み変化量△Accとバッテリ充電状態から求めた加速時補正量とを付加した値を用いる。
【００４１】
【数２】
加速時の出力要求値＝(アクセル踏み込み量に応じた出力要求値)
＋(アクセル踏み込み量に応じた出力要求値×加速時補正量)    …（２）
この演算により、通常の加速状態、緩加速状態および急加速状態のそれぞれの出力要求は図６乃至図８に示すように求められる。
【００４２】
図６は通常の加速状態の場合の出力要求を示す図であり、アクセル踏み込み量が少ないので加速時の補正は行わない。また、図７は緩加速時の出力要求を示す図であり、基本の増加分に緩加速時の増加分が付加される。さらに、図８は急加速時の出力要求を示す図であり、基本の増加分に急加速時の増加分が付加される。
【００４３】
このように、バッテリ８の充電状態が十分でない場合は、加速に必要な電力の一部をバッテリ８から供給できないが、本実施形態では加速時だけの過渡的な出力要求値をより多く補正するので（図８参照）、電力が不足することなく要求電力量を発生することができ、加速性能を満足することができる。
【００４４】
逆に、本実施形態ではバッテリ８が十分に充電されている場合には、加速に必要な電力の一部をバッテリ８から供給するので、上記と同じアクセル踏み込み変化量でも加速時の過渡的な出力要求値は少なくなり、その結果、原料消費量の低減と燃焼装置２の溶損を防止することができる。
【００４５】
第２実施形態
図９は図１に示す燃料電池システムのうち燃焼装置２，水素発生装置３および燃料電池７の部分を取り出したブロック図であり、水素発生装置３はさらに原料蒸発装置３１と改質装置３２と雑成分除去装置３３とから構成されている。
【００４６】
原料蒸発装置３１は原料供給装置６からメタノールおよび水の供給を受けてこれを気化させる熱交換器であって、上述した燃焼装置２から供給される燃焼ガスとの間で熱交換を行うことにより原料が気化される。
【００４７】
改質装置３２は原料蒸発装置３１で気化されたメタノールと水蒸気、およびコンプレッサ４からの空気とを改質反応させる反応器であり、ここで水素リッチガスが生成される。
【００４８】
この水素リッチガスには燃料電池の触媒を被毒する一酸化炭素が含まれているので、これを雑成分除去装置３３で除去してから燃料電池７に水素リッチガスを供給する。
【００４９】
そして、同図に示すように燃料電池７に供給された水素は、化学反応により消費され、電力を発生するが、ここで化学反応に必要とされなかった余剰水素は燃焼装置２に送られて燃焼され、水素発生装置３の内部の原料蒸発装置３１の原料蒸発用熱エネルギー源として利用される。
【００５０】
ところで、図１０に示すように、燃料電池７から取り出される電力量が多いほど、燃料電池７において化学反応により消費する水素ガス量も多い。また、図１１に示すように、燃料電池７から排出される余剰水素量が減少すると、燃焼装置２の温度が低下する。特に急加速状態では、電力の取り出し量が多く、水素量が顕著に減少する。
【００５１】
このため、本実施形態では急加速時には上述した第１実施形態における出力要求値の増量に加え、燃料装置２の温度低下を防止するため、燃料供給装置５から燃焼装置２に燃料を供給する。これにより、水素の発生に必要な熱エネルギーを燃焼装置２から水素発生装置３へ継続的に供給することができ、水素の発生が促進できるとともに、継続的で安定した電力を生成することができる
この場合、車両の加速状態をアクセル踏み込み変化量ΔＡccで判定できる他、図１２に示すように燃焼装置２（又は燃焼ガス通路でも良い。）に温度検出装置１３を設け、この温度検出装置１３により検出される燃焼装置２の温度変化量とバッテリ８の充電量との関係を定めた制御マップにより出力要求値の補正量を決定しても良い。
【００５２】
さらにこの場合、余剰水素量の減少により燃焼装置２の温度が低下するので、燃焼装置２に設けられた温度検出装置１３によって、燃焼装置２の温度低下代をモニタし、必要とされる温度上昇分を算出して、燃料供給装置５から燃焼装置２への燃料供給量の増量と、それに応じてコンプレッサ４から燃焼装置２への空気増量を行うこともできる。
【００５３】
その他の実施形態
上述した実施形態に代えて又は加えて、以下のように構成することもできる。
【００５４】
上述した第１実施形態では、出力要求値を判定する際に図４に示すバッテリ８の充電量とアクセル踏み込み変化量との制御マップを用いたが、余剰水素の変動に対する燃焼装置２への燃料供給量の制御では、図４と異なるしきい値を有する制御マップを用いることもできる。図１３はこの制御マップを示すグラフであり、燃焼装置２の温度低下を防ぐ燃料供給補正量は加速度合いと一義的には決まらず、アクセル踏み込み変化量の所定値を出力要求値の増加とは別に設定するのが好ましい。
【００５５】
このように異なるしきい値を有する制御マップを用いることで、過増量による燃焼装置２の異常な温度上昇や、増量不足により温度上昇しないような事態がなく、燃料供給量をより好適に制御することができる。
【００５６】
また、上述した実施形態では、急加速時には出力要求値を増加させ、更に燃焼装置２の温度低下を防ぐために、燃料供給装置５から燃焼装置２へ燃料を供給するが、このとき図１４に示すように、出力要求値の増加に対して燃焼装置２の温度の低下応答が遅れている場合には、燃焼装置２への燃料供給は、出力要求値の増加に対し、遅れ時間を持たせて供給することが好ましい。こうすることで、燃焼装置２の異常な温度上昇や、温度が上昇しないような事態を防止することができる。
【００５７】
さらに、図１５に示すように、バッテリ８の充電量が大きく、かつ急加速状態である領域においては、急加速が要求されているがバッテリ８の充電状況が良好であるため、燃料電池システムからの電力を必要とせずに加速に対応することができる。すなわち、この場合は、バッテリ８の電力を優先的に動力装置１１に供給するので、コンプレッサ４から燃料電池システムへ空気を供給する必要がなく、したがってコンプレッサ４の運転を一時的に停止することが好ましい。
【００５８】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【図１】本発明の実施形態を示すブロック図である。
【図２】アクセル踏み込み量とアクセル踏み込み量信号との関係を示すグラフである。
【図３】図１に示す電力分配制御装置の動作を示すブロック図である。
【図４】図１に示す実施形態におけるアクセル踏み込み変化量と充電量とから出力要求値を求めるためのグラフである。
【図５】図１に示す実施形態におけるアクセル踏み込み量信号と出力要求値との関係を示すグラフである。
【図６】図１に示す実施形態における通常加速状態の出力要求値を示すグラフである。
【図７】図１に示す実施形態における緩加速状態の出力要求値を示すグラフである。
【図８】図１に示す実施形態における急加速状態の出力要求値を示すグラフである。
【図９】本発明の他の実施形態の要部を示すブロック図である。
【図１０】図９に示す実施形態における燃料電池取り出し電力と水素消費量との関係を示すグラフである。
【図１１】図９に示す実施形態における余剰水素量と燃焼装置温度との関係を示すグラフである。
【図１２】本発明のさらに他の実施形態であって、燃焼装置温度変化量から燃料補正を求めるためのグラフである。
【図１３】本発明のさらに他の実施形態であって、図４とは異なる所定値で燃料補正を求めるためのグラフである。
【図１４】本発明のさらに他の実施形態であって、燃焼装置の温度低下の遅れを示すグラフである。
【図１５】本発明のさらに他の実施形態であって、コンプレッサの停止領域を示すグラフである。
【符号の説明】
１…制御装置（制御手段）
２…燃焼装置
３…水素発生装置
４…コンプレッサ
５…燃料供給装置（燃料供給手段）
６…原料供給装置
７…燃料電池
８…バッテリ
９…バッテリ充電状況監視装置（バッテリ充電状況監視手段）
１０…電力配分制御装置
１１…動力装置（外部負荷）
１２…アクセル踏み込み量検出装置（アクセル踏み込み量検出手段）
１３…温度検出装置（温度検出手段）
【図１】
0003721947.tif 000002
【図２】
0003721947.tif 000003
【図３】
0003721947.tif 000004
【図４】
0003721947.tif 000005
【図５】
0003721947.tif 000006
【図６】
0003721947.tif 000007
【図７】
0003721947.tif 000008
【図８】
0003721947.tif 000009
【図９】
0003721947.tif 000010
【図１０】
0003721947.tif 000011
【図１１】
0003721947.tif 000012
【図１２】
0003721947.tif 000013
【図１３】
0003721947.tif 000014
【図１４】
0003721947.tif 000015
【図１５】
0003721947.tif 000016